(57)【特許請求の範囲】
【請求項１】
幼児等の腰部または胴部に巻回されて装着される紐と、この紐から垂下された前垂れ部と、この前垂れ部に形成され、幼児等によって食べこぼされた物を受けるポケットとを備え、前記前垂れ部およびポケットは高耐水圧コーティング加工された柔軟性シートで構成され，前記前垂れ部における少なくともポケット開口部の上方両側にタックが形成されているとともに，ポケットの開口は，その前縁部を前方に向け湾曲状に保持する保形部材を備え，かつエプロン作成時にポケット部分が前記前垂れ部に対してひっくり返されることで幼児等の腹部前方において左右全体に亙って形成され，エプロン全体の上下方向の長さが、座った状態の幼児等の少なくとも大腿部まで前記ポケットの底部が達する長さに形成されていることを特徴とする食事用エプロン。
【発明の詳細な説明】
【０００１】
【発明の属する技術分野】
本発明は食事用エプロンに関する。より詳しくは、幼児等が食事をする際に幼児等に付けることによって、幼児等により食べこぼされた物（以下、食べこぼしともいう）が床等に落ちないようにした食事用エプロンに関するものである。なお、幼児等には、幼児の他、食べこぼしするおそれのある老人等も含まれる。
【０００２】
【従来の技術】
従来、幼児のための食事用エプロンとしては、図７、図８に示すようなものが知られている。
【０００３】
図７に示すものは、布製であり、前垂れ部１と、この前垂れ部１の上端左右から延設され、幼児の首に回すようにして掛けられる帯状部２，２と、腕を通すための開口３，３を形成している紐部４，４と、前垂れ部１に設けられたポケット５とを備えている。
【０００４】
ポケット５は、横長の帯状片５ａの下縁５ｂを前垂れ部１に逢着し、両側縁５ｃ，５ｃをマジックテープ（商標）５ｄ，５ｄで前垂れ部１に接合することにより形成されている。
【０００５】
なお、紐部４の両端は、前垂れ部１と帯状部２とに逢着されており、帯状部２，２の先端同士はマジックテープ２ａで接合されるようになっている。
【０００６】
図８に示すものは、比較的柔らかな合成樹脂による一体成形品であり、前垂れ部６と、この前垂れ部６の上端左右から延設され、幼児の首に回すようにして掛けられる帯状部７，７と、前垂れ部６の下部に一体的に形成されたポケット８とを備えている。
【０００７】
なお、帯状部７，７の先端同士はフック７ａと穴７ｂとの係合により連結されるようになっている。
【０００８】
【発明が解決しようとする課題】
＜課題１＞
図７、図８に示したいずれの食事用エプロンも、その帯状部２または７を幼児の首に回すようにして掛ける形式のものであったため、幼児はその首回りに違和感を感じて、嫌がってしまうという問題があった。特に、図８に示したものは、比較的柔らかであるとはいえ合成樹脂製であるため、幼児がその首回りに違和感を感じて嫌がってしまうという問題があった。
【０００９】
＜課題２＞
また、図７に示したものは、布製であるから幼児に与える違和感は比較的少ないが、そのポケット５が、横長の帯状片（布片）５ａの下縁５ｂを前垂れ部１に逢着し、両側縁５ｃ，５ｃをマジックテープ５ｄ，５ｄで前垂れ部１に接合することにより形成されているため、帯状片５ａの上縁５ｅと前垂れ部１とが近接し易い。
【００１０】
したがって、ポケット５の開口が形成され難く、結果として、食べこぼしがポケット５に受け止められずに床に落ちてしまい易いという問題があった。
【００１１】
この発明の第１の目的は、上記課題１を解決し、幼児に違和感を与えることのない食事用エプロンを提供することにある。
【００１２】
また、第２の目的は、上記課題２を解決し、布等の柔軟性を有するシート材で構成されているにも拘らず、ポケットの開口が確実に形成される食事用エプロンを提供することにある。
【００１３】
【課題を解決するための手段】
上記第１，第２の目的を同時に達成するために請求項１記載の食事用エプロンは、幼児等の腰部または胴部に巻回されて装着される紐と、この紐から垂下された前垂れ部と、この前垂れ部に形成され、幼児等によって食べこぼされた物を受けるポケットとを備え、前記前垂れ部およびポケットは高耐水圧コーティング加工された柔軟性シートで構成され，前記前垂れ部における少なくともポケット開口部の上方両側にタックが形成されているとともに，ポケットの開口は，その前縁部を前方に向け湾曲状に保持する保形部材を備え，かつエプロン作成時にポケット部分が前記前垂れ部に対してひっくり返されることで幼児等の腹部前方において左右全体に亙って形成され，エプロン全体の上下方向の長さが、座った状態の幼児等の少なくとも大腿部まで前記ポケットの底部が達する長さに形成されていることを特徴とする。
【００１７】
なお、タックとは、前垂れ部を部分的に横方向に折り返して（折り目は縦方向となる）その上部を逢着したものをいう。
【００２２】
【作用効果】
請求項１記載の食事用エプロンは、幼児等の腰部または胴部に巻回されて装着される紐と、この紐から垂下され、幼児等によって食べこぼされた物を受けるポケットとを備えているので、紐を幼児等の腰部または胴部に巻回して装着することによって幼児等に付けられる。
【００２３】
したがって、この請求項１記載の食事用エプロンは、幼児等の首回りに何も存在させることなく幼児等に付けられるので、幼児に違和感を与えることがなくなる。あるいは違和感を与えたとしても、その違和感は極めて小さなものとなる。幼児等の腰部または胴部には、紐が巻回されることとなるが、従来のもののように首部に掛けられるものに比べれば、幼児等に与える違和感は極めて少なくなるか、あるいは、なくなる。
【００２４】
また、ポケットの開口は、幼児等の腹部前方において左右全体に亙って形成されるので、食べこぼしは、ポケットによって確実に受け止められる。
【００２５】
さらに，請求項１記載の食事用エプロンによれば、請求項１記載の食事用エプロンにおいて、前記ポケットは、前記紐から垂下された柔軟性を有するシート材で構成された前垂れ部に形成されているので、幼児等の腰部または胴部下方が前垂れ部で覆われることとなり、幼児等の洋服が汚れ難くなる。
【００２６】
また、食べこぼしは、前垂れ部を滑降してポケットに受け止められることとなるので、確実に受け止められることとなる。
【００２７】
しかも、前垂れ部は柔軟性を有するシート材で構成されているので、この前垂れ部が幼児等に大きな違和感を与えるということもない。
【００２８】
また，請求項１記載の食事用エプロンによれば、前記ポケットが、柔軟性を有するシート材で構成されているので、幼児等に与えられる違和感は一層小さなものとなる。
【００２９】
しかも、ポケットが柔軟性を有するシート材で構成されているにもかかわらず、ポケットには、その前縁部を前方に向け湾曲状に保持する保形部材が備わっているので、開口が確実に形成されることとなる。
【００３１】
さらに，ポケットが柔軟性を有するシート材で構成されているにもかかわらず、前垂れ部における少なくともポケット開口部の上方両側にタックが形成されているので、その折り返しによってポケットの前縁部両側が前方に膨出されることとなり、結果として、ポケットの開口が形成され易くなる。
【００３２】
さらに，請求項１記載の食事用エプロンによれば、前記紐は、前記ポケットの開口部の上方に間隔を隔てて配置されているので、紐を幼児等の腰部または胴部に巻回して装着した際の紐の張力は、ポケットの開口部に直接的には作用しないこととなる。
【００３３】
仮に、紐がポケットの開口部の上方に沿って配置されているとすると、紐を幼児等の腰部または胴部に巻回して装着した際に、紐の張力がポケットの開口部に直接的に作用することとなり、この張力によってポケットの前縁部が前垂れ部に向かって引き寄せられ、開口が形成され難くなってしまう。
【００３４】
これに対し、この請求項１記載の食事用エプロンによれば、紐がポケットの開口部の上方に間隔を隔てて配置されていて、紐を幼児等の腰部または胴部に巻回して装着した際の紐の張力がポケットの開口部に直接的には作用しないので、その張力によってポケットの前縁部が前垂れ部に向かって引き寄せられるということがなくなり、結果として、開口が形成され易くなる。
【００３６】
また，請求項１記載の食事用エプロンによれば、前垂れ部と、この前垂れ部に形成され、幼児等によって食べこぼされた物を受けるポケットとを備え、前垂れ部およびポケットが柔軟性を有するシート材で構成されているので、幼児等に与えられる違和感は比較的小さなものとなる。
【００３７】
そして、前垂れ部およびポケットが柔軟性を有するシート材で構成されているにもかかわらず、ポケットには、その前縁部を前方に向け湾曲状に保持する保形部材が備わっているので、開口が確実に形成されることとなる。
【００３９】
さらに，請求項１記載の食事用エプロンによれば、エプロン全体の上下方向の長さが、座った状態の幼児等の少なくとも大腿部まで前記ポケットの底部が達する長さに形成されているので、幼児等の少なくとも大腿部までエプロンで覆われることとなり、より良好に汚れが防止される。
【００４０】
しかも、ポケットの底部が、座った状態の幼児等の大腿部によって下方から支持されることとなるので、ポケットの開口が形成され易くなる。
【００４１】
【発明の実施の形態】
以下、本発明の実施の形態について図面を参照して説明する。
【００４２】
図１は本発明に係る食事用エプロンの一実施の形態を示す使用状態の斜視図、図２は正面図、図３は図２におけるＩＩＩ−ＩＩＩ断面図、図４は図２におけるＩＶ−ＩＶ端面図、図５は前垂れ部およびポケットを形成するシートの展開図である。
【００４３】
図１〜図３において、１０は紐、２０は前垂れ部、３０はポケットである。
【００４４】
前垂れ部２０は紐１０から垂下されており、ポケット３０は前垂れ部２０に形成されている。前垂れ部２０の長さ（図２上下方向の長さ）は、ポケットの長さよりも長く形成されており、結果として、紐１０は、ポケット３０の開口部３１の上方に間隔を隔てて配置されている。
【００４５】
ポケット３０の開口３１は、図１に示すようにエプロンを幼児に付けた際、幼児の腹部前方において左右全体に亙って形成される。
【００４６】
前垂れ部２０およびポケット３０は、柔軟性を有するシート材、例えばナイロン（商標）で布状に形成したシート材で構成されており、この実施の形態においては、高耐水圧コーティング加工を施したものが用いられている。
【００４７】
前垂れ部２０には、ポケット開口部３１の上方両側にタック２１，２１が形成されている。このタック２１は、図４に示すように、前垂れ部２０を部分的に横方向に折り返して（折り目を２２，２３で示す）、その上部２４（図２参照）を逢着することにより形成されている。なお、図２に示すように、折り目２２，２３は縦方向となる。一対のタック２１，２１は左右対称に形成されている。
【００４８】
ポケット３０は、その前縁部３２を前方（図３において右方）に向け湾曲状に保持する保形部材３３を備えている。この保形部材３３は、図６に示すように、自由状態で湾曲状をなす線材、例えばポリエチレン製の直径２〜３ｍｍ程度の線材で構成することができる。保形部材３３は、図２，図３に示すように、バイアステープ３４によってポケット３０の前縁部３２に取り付けられている。
【００４９】
なお、図１〜図４において、２５，２５は、前垂れ部２０の両外側縁からポケット３０の内側縁に亙って逢着されたバイアステープである。
【００５０】
以上のようなエプロンは、その全体の上下方向の長さが、図１に示すように、座った状態の幼児等Ｐの少なくとも大腿部まで（この実施の形態においては膝上部Ｐ１まで）、ポケット３０の底部３５が達する大きさに形成されている。
【００５１】
以上のようなエプロンは、例えば次のようにして作成することができる。
【００５２】
（ｉ）図５に示すように、シート材を裁断する。
【００５３】
同図において、２０’は前垂れ部２０を形成する部分（以下、前垂れ片という）、３０’はポケット３０を形成する部分（以下、ポケット片という）である。
【００５４】
（ｉｉ）ポケット片３０’の下縁３６に対して、バイアステープ３４（図３参照）の上下縁のみを縫いつけることによって、保形部材３３が収容されるべき筒状部を形成し、この筒状部に保形部材３３を挿入した後、バイアステープ３４の両端を逢着する。これによって保形部材３３の抜けが防止される。
【００５５】
（ｉｉｉ）上のようにして保形部材３３が取り付けられたポケット片３０’を折れ線ａから前垂れ片２０’上に折り畳む。
【００５６】
これによって、前垂れ片２０’の湾曲縁２７，２７とポケット片３０’の湾曲縁３７，３７とが重なり合うとともに、前記バイアステープ３４の両端部が前垂れ片２０’の直線状側縁２６と湾曲縁２７との角部２８上に位置することとなる。
【００５７】
（ｉｖ）前垂れ片２０’の直線状側縁２６から湾曲縁２７およびポケット片３０’の湾曲縁３７に亙ってバイアステープ２５，２５（図２参照）を逢着する。この際、前記バイアステープ３４の両端部も同時に縫い付ける。
【００５８】
（ｖ）前垂れ片２０’の上部を折り曲げ線２２，２３で折り曲げてその上部２４を仮縫いして、タック２１，２１を形成する（図２，図４参照）。
【００５９】
（ｖｉ）前垂れ片２０’の上縁２９を上方から覆うようにして長手のバイアステープ１０’（図２参照）を折り畳んで、その下縁を逢着することにより、紐１０を構成するとともに、この紐１０を前垂れ片２０’の上縁２９に縫い付ける。
【００６０】
（ｖｉｉ）折れ線ａが外側に来るように（バイアステープ２５の湾曲縁２７，３７に逢着されている部分が内側になるように）ポケット３０部分をひっくり返す。
【００６１】
以上により、図２に示したような食事用エプロンが完成する。
【００６２】
以上のような食事用エプロンによれば、次のような作用効果が得られる。
【００６３】
（ａ）幼児等の腰部または胴部に巻回されて装着される紐１０と、この紐１０から垂下され、幼児等によって食べこぼされた物を受けるポケット３０とを備えているので、図１に示すように、紐１０を幼児等Ｐの腰部または胴部に巻回して装着することによって幼児等に付けられる。
【００６４】
したがって、幼児等Ｐの首回りに何も存在させることなく幼児等に付けられるので、幼児に違和感を与えることがなくなる。あるいは違和感を与えたとしても、その違和感は極めて小さなものとなる。幼児等の腰部または胴部には、紐１０が巻回されることとなるが、従来のもののように首部に掛けられるものに比べれば、幼児等に与える違和感は極めて少なくなるか、あるいは、なくなる。
【００６５】
また、ポケット３０の開口３１は、幼児等の腹部前方において左右全体に亙って形成されるので、食べこぼしは、ポケットによって確実に受け止められる。
【００６６】
（ｂ）ポケット３０は、紐１０から垂下された柔軟性を有するシート材で構成された前垂れ部２０に形成されているので、幼児等Ｐの腰部または胴部下方が前垂れ部２０で覆われることとなり、幼児等の洋服が汚れ難くなる。
【００６７】
また、食べこぼしは、前垂れ部２０を滑降してポケット３０に受け止められることとなるので、確実に受け止められることとなる。
【００６８】
しかも、前垂れ部２０は柔軟性を有するシート材で構成されているので、この前垂れ部２０が幼児等に大きな違和感を与えるということもない。
【００６９】
（ｃ）ポケット３０が、柔軟性を有するシート材で構成されているので、幼児等に与えられる違和感は一層小さなものとなる。
【００７０】
しかも、ポケット３０が柔軟性を有するシート材で構成されているにもかかわらず、ポケット３０には、その前縁部３２を前方に向け湾曲状に保持する保形部材３３が備わっているので、開口３１が確実に形成されることとなる。
【００７１】
（ｄ）ポケット３０が柔軟性を有するシート材で構成されているにもかかわらず、前垂れ部２０における少なくともポケット開口部３１の上方両側にタック２１，２１が形成されているので、その折り返しによってポケット３０の前縁部３４の両側が前方に膨出されることとなり、結果として、ポケット３０の開口３１が形成され易くなる。
【００７２】
（ｅ）紐１０は、ポケット３０の開口部３１の上方に間隔を隔てて配置されているので、紐１０を幼児等の腰部または胴部に巻回して装着した際の紐の張力は、ポケットの開口部３１に直接的には作用しないこととなる。
【００７３】
仮に、紐１０がポケットの開口部３１の上方に沿って配置されているとすると、紐１０を幼児等の腰部または胴部に巻回して装着した際に、紐の張力がポケット３０の開口部３１に直接的に作用することとなり、この張力によってポケットの前縁部３２が前垂れ部２０に向かって引き寄せられ、開口３１が形成され難くなってしまう。
【００７４】
これに対し、この実施の形態の食事用エプロンによれば、紐１０がポケットの開口部３１の上方に間隔を隔てて配置されていて、紐１０を幼児等の腰部または胴部に巻回して装着した際の紐１０の張力がポケットの開口部３１に直接的には作用しないので、その張力によってポケットの前縁部３２が前垂れ部２０に向かって引き寄せられるということがなくなり、結果として、開口３１が形成され易くなる。
【００７５】
（ｆ）エプロン全体の上下方向の長さが、図１に示すように座った状態の幼児等Ｐの少なくとも大腿部までポケット３０の底部３５が達する長さに形成されているので、幼児等Ｐの少なくとも大腿部までエプロンで覆われることとなり、より良好に汚れが防止される。
【００７６】
しかも、ポケットの底部３５が、座った状態の幼児等の大腿部によって下方から支持されることとなるので、ポケットの開口３１が形成され易くなる。
【００７７】
（ｇ）前垂れ部２０およびポケット３０を構成している柔軟性シートは、高耐水圧コーティング加工が施されているので、汚れの拭き取りが簡単である。
【００７８】
（ｈ）エプロン作成時、ポケット３０部分がひっくり返されていることにより、バイアステープ２５および湾曲縁２７，３７の逢着部がポケット内側に位置しているので、これによって一層ポケットの開口３１が形成され易くなる。
【００７９】
以上、本発明の一実施の形態について説明したが、本発明は上記の実施の形態に限定されるものではなく、本発明の要旨の範囲内において適宜変形実施可能である。
【００８０】
例えば、
▲１▼幼児用だけでなく老人用とすることもできる。
【００８１】
▲２▼保形部材は線材の他、薄板状の物でも良い。例えば、細長い薄板状の物でも良い。
【００８２】
▲３▼保形部材を有するポケットの構造は、首に掛けるタイプのエプロンにも用いることができる。
【００８３】
【図面の簡単な説明】
【図１】本発明に係る食事用エプロンの一実施の形態を示す使用状態の斜視図。
【図２】同じく正面図。
【図３】図２におけるＩＩＩ−ＩＩＩ断面図。
【図４】図２におけるＩＶ−ＩＶ端面図。
【図５】前垂れ部およびポケットを形成するシートの一例を示す展開図。
【図６】保形部材の一例を示す平面図。
【図７】従来技術の説明図。
【図８】従来技術の説明図。
【符号の説明】
１０    紐
２０    前垂れ部
２１    タック
３０    ポケット
３１    開口
３２    前縁部
３３    保形部材
【図１】
0003761643.tif 000002
【図２】
0003761643.tif 000003
【図３】
0003761643.tif 000004
【図４】
0003761643.tif 000005
【図５】
0003761643.tif 000006
【図６】
0003761643.tif 000007
【図７】
0003761643.tif 000008
【図８】
0003761643.tif 000009